(57)【要約】【課題】繋ぎ記録を迅速に開始することができるようにする。【解決手段】ＥＣＣＴＢ（図２中、Ｈ）には、ＥＣＣバンクに繋ぎ記録の開始点となり得るパックの先頭が含まれる場合、その旨を表すデータが設定され、また繋ぎ記録の開始点となり得るパックの先頭が含まれていないとき、その旨を表すデータが設定される。すなわち記録装置は、繋ぎ記録を行う際、ＥＣＣＴＢの内容を参照して、ユーザが要求する繋ぎ記録を開始したい点に最も近い繋ぎ記録の開始可能点を検出し、検出したその点から繋ぎ記録を開始する。【選択図】      図２
2004164731.tif 000002
【特許請求の範囲】
【請求項１】
入力されたビデオデータを、少なくとも所定数のフレームと前記フレームに関連する補助データからなる編集単位データ毎に記憶媒体に記憶する記憶手段と、
前記記憶媒体に記憶された前記ビデオデータに、誤り訂正処理を施すとともに、前記誤り訂正処理の誤り訂正処理単位データ毎に、前記誤り訂正処理単位データに、前記編集単位データの先頭が含まれているか否かを判定し、その判定結果を、繋ぎ記録の開始可能点情報として、前記誤り訂正処理単位データのヘッダに登録する第１の登録手段と、
前記ヘッダに前記繋ぎ記録の開始可能点情報が登録された前記ビデオデータを、磁気テープに記録する記録手段と
を備えることを特徴とする記録装置。
【請求項２】
前記記録手段により前記磁気テープに記録された、所定の前記ビデオデータを、前記誤り訂正処理単位データ毎に前記記憶媒体に記憶させるとともに、前記記憶媒体に記憶された前記誤り訂正処理単位データの前記ヘッダに登録されている前記繋ぎ記録の開始可能点情報を参照して、繋ぎ記録の開始点を検出する検出手段をさらに備え、
前記記憶手段は、前記検出手段により検出された前記繋ぎ記録の開始点に繋げて、入力されたビデオデータを、前記編集単位データ毎に前記記憶媒体に記憶し、
前記記録手段は、前記記憶媒体に記憶された、前記繋ぎ記録の開始点から繋がれた前記ビデオデータを、前記磁気テープに記録する
を備えることを特徴とする請求項１に記載の記録装置。
【請求項３】
記録を一時的に停止する指令に応じて、前記記憶手段による前記記憶媒体への記憶、前記第１の登録手段による前記繋ぎ記録の開始可能点情報の登録、および前記記録手段による前記磁気テープへの記録が停止したとき、前記記憶媒体に記憶されている、前記磁気テープに記録されなかった所定の前記編集単位データの先頭に対応する前記ヘッダに、記録終了点情報を登録する第２の登録手段をさらに備え、
前記記憶手段は、前記記録終了点情報を参照して、繋ぎ記録の開始点を検出するとともに、検出した前記繋ぎ記録の開始点に繋げて、入力されたビデオデータを、前記編集単位データ毎に前記記憶媒体に記憶する
を備えることを特徴とする請求項１に記載の記録装置。
【請求項４】
前記ヘッダには、記録の連続性に必要なパラメータが格納されており、
前記第２の登録手段は、前記パラメータを、前記記録終了点からの繋ぎ記録において前記記録の連続性が確保されるように変更する
ことを特徴とする請求項３に記載の記録装置。
【請求項５】
入力されたビデオデータを、少なくとも所定数のフレームと前記フレームに関連する補助データからなる編集単位データ毎に記憶媒体に記憶する記憶ステップと、
前記記憶媒体に記憶された前記ビデオデータに、誤り訂正処理を施すとともに、前記誤り訂正処理の誤り訂正処理単位データ毎に、前記誤り訂正処理単位データに、前記編集単位データの先頭が含まれているか否かを判定し、その判定結果を、繋ぎ記録の開始可能点情報として、前記誤り訂正処理単位データのヘッダに登録する第１の登録ステップと、
前記ヘッダに前記繋ぎ記録の開始可能点情報が登録された前記ビデオデータを、磁気テープに記録する記録ステップと
を含むことを特徴とする磁気テープ記録方法。
【請求項６】
入力されたビデオデータの、少なくとも所定数のフレームと前記フレームに関連する補助データからなる編集単位データ毎の記憶媒体への記憶を制御する記憶制御ステップと、
前記記憶媒体に記憶された前記ビデオデータに、誤り訂正処理を施すとともに、前記誤り訂正処理の誤り訂正処理単位データ毎に、前記誤り訂正処理単位データに、前記編集単位データの先頭が含まれているか否かを判定し、その判定結果の、繋ぎ記録の開始可能点情報としての、前記誤り訂正処理単位データのヘッダへの登録を制御する第１の登録制御ステップと、
前記ヘッダに前記繋ぎ記録の開始可能点情報が登録された前記ビデオデータの、磁気テープへの記録を制御する記録制御ステップと
を含むことを特徴とするコンピュータが読み取り可能なプログラムが記録されている記録媒体。
【請求項７】
入力されたビデオデータの、少なくとも所定数のフレームと前記フレームに関連する補助データからなる編集単位データ毎の記憶媒体への記憶を制御する記憶制御ステップと、
前記記憶媒体に記憶された前記ビデオデータに、誤り訂正処理を施すとともに、前記誤り訂正処理の誤り訂正処理単位データ毎に、前記誤り訂正処理単位データに、前記編集単位データの先頭が含まれているか否かを判定し、その判定結果の、繋ぎ記録の開始可能点情報としての、前記誤り訂正処理単位データのヘッダへの登録を制御する第１の登録制御ステップと、
前記ヘッダに前記繋ぎ記録の開始可能点情報が登録された前記ビデオデータの、磁気テープへの記録を制御する記録制御ステップと
を含む処理をコンピュータに実行させることを特徴とするプログラム。
【発明の詳細な説明】
【０００１】
【発明の属する技術分野】
本発明は、記録装置および方法、記録媒体、並びにプログラムに関し、特に、繋ぎ記録を効率よく行うことができるようにした、記録装置および方法、記録媒体、並びにプログラムに関する。
【０００２】
【従来の技術】
ビデオデータなどを、例えば、ＤＶ（Ｄｉｇｉｔａｌ  Ｖｉｄｅｏ）方式により圧縮し、磁気テープに記録するためのフォーマットが、民生用デジタルビデオテープレコーダのＤＶフォーマットとして規定されている。
【０００３】
このフォーマットでは、記録されている映像と、新たに入力された映像とを繋いで記録する繋ぎ記録を効率的に行うために、繋ぎ記録に必要なデータ（システムデータ）が、所定数のピクチャ毎にその前段にまとめて配置されるようになされている。
【０００４】
【発明が解決しようとする課題】
ところで、記録されるビデオデータが、ＭＰＥＧ−ＰＥＳ（Ｐａｃｋｅｔｉｚｅｄ  Ｅｌｅｍｅｎｔａｒｙ  Ｓｔｒｅａｍ）である場合、１フレームの大きさが可変長であるため、ビデオデータなどは、ＤＲＡＭなどの記憶媒体に一時的に記憶されてから、磁気テープに記録されるようになされている。そのため繋ぎ記録の処理においては、ＤＲＡＭ上に記憶されたシステムデータを参照することで、繋ぎ記録の開始位置の検出等が行われる。
【０００５】
しかしながら、開始された記録が一時停止されると、従来においてそのときＤＲＡＭに記憶されたデータは消去されるので、記録を再開するときに、新たにビデオデータ（システムデータを含む）を磁気テープから読み出してＤＲＡＭに記憶させ、そしてＤＲＡＭ上に記憶されたシステムデータから繋ぎ記録の開始位置を算出するなどの処理が必要となる。すなわち従来においては、新たなビデオデータをＤＲＡＭに記憶される分、一時停止からの繋ぎ記録を迅速に開始することができない課題があった。
【０００６】
本発明はこのような状況に鑑みてなされたものであり、繋ぎ記録を迅速に行うことができるようにするものである。
【０００７】
【課題を解決するための手段】
本発明の記録装置は、入力されたビデオデータを、少なくとも所定数のフレームとフレームに関連する補助データからなる編集単位データ毎に記憶媒体に記憶する記憶手段と、記憶媒体に記憶されたビデオデータに、誤り訂正処理を施すとともに、誤り訂正処理の誤り訂正処理単位データ毎に、誤り訂正処理単位データに、編集単位データの先頭が含まれているか否かを判定し、その判定結果を、繋ぎ記録の開始可能点情報として、誤り訂正処理単位データのヘッダに登録する第１の登録手段と、ヘッダに繋ぎ記録の開始可能点情報が登録されたビデオデータを磁気テープに記録する記録手段とを備えることを特徴とする。
【０００８】
記録手段により磁気テープに記録された、所定のビデオデータを、誤り訂正処理単位データ毎に記憶媒体に記憶させるとともに、記憶媒体に記憶された誤り訂正処理単位データのヘッダに登録されている繋ぎ記録の開始可能点情報を参照して、繋ぎ記録の開始点を検出する検出手段をさらに設け、記憶手段には、検出手段により検出された繋ぎ記録の開始点に繋げて、入力されたビデオデータを、編集単位データ毎に記憶媒体に記憶させ、記録手段には、記憶媒体に記憶された、繋ぎ記録の開始点から繋がれたビデオデータを、磁気テープに記録させることができる。
【０００９】
記録を一時的に停止する指令に応じて、記憶手段による記憶媒体への記憶、第１の登録手段による繋ぎ記録の開始可能点情報の登録、および記録手段による磁気テープへの記録が停止したとき、記憶媒体に記憶されている、磁気テープに記録されなかった所定の編集単位データの先頭に対応するヘッダに、記録終了点情報を登録する第２の登録手段をさらに設け、記憶手段には、記録終了点情報を参照して、繋ぎ記録の開始点を検出するとともに、検出した繋ぎ記録の開始点に繋げて、入力されたビデオデータを編集単位データ毎に記憶媒体に記憶させることができる。
【００１０】
ヘッダには、記録の連続性に必要なパラメータが格納されており、第２の登録手段は、パラメータを、記録終了点からの繋ぎ記録において記録の連続性が確保されるように変更することができる。
【００１１】
本発明の記録方法は、入力されたビデオデータを、少なくとも所定数のフレームとフレームに関連する補助データからなる編集単位データ毎に記憶媒体に記憶する記憶ステップと、記憶媒体に記憶されたビデオデータに、誤り訂正処理を施すとともに、誤り訂正処理の誤り訂正処理単位データ毎に、誤り訂正処理単位データに、編集単位データの先頭が含まれているか否かを判定し、その判定結果を、繋ぎ記録の開始可能点情報として、誤り訂正処理単位データのヘッダに登録する第１の登録ステップと、ヘッダに繋ぎ記録の開始可能点情報が登録されたビデオデータを磁気テープに記録する記録ステップとを含むことを特徴とする。
【００１２】
本発明の記録媒体のプログラムは、入力されたビデオデータの、少なくとも所定数のフレームとフレームに関連する補助データからなる編集単位データ毎の記憶媒体への記憶を制御する記憶制御ステップと、記憶媒体に記憶されたビデオデータに、誤り訂正処理を施すとともに、誤り訂正処理の誤り訂正処理単位データ毎に、誤り訂正処理単位データに、編集単位データの先頭が含まれているか否かを判定し、その判定結果の、繋ぎ記録の開始可能点情報としての、誤り訂正処理単位データのヘッダへの登録を制御する第１の登録制御ステップと、ヘッダに繋ぎ記録の開始可能点情報が登録されたビデオデータの、磁気テープへの記録を制御する記録制御ステップとを含むことを特徴とする。
【００１３】
本発明のプログラムは、入力されたビデオデータの、少なくとも所定数のフレームとフレームに関連する補助データからなる編集単位データ毎の記憶媒体への記憶を制御する記憶制御ステップと、記憶媒体に記憶されたビデオデータに、誤り訂正処理を施すとともに、誤り訂正処理の誤り訂正処理単位データ毎に、誤り訂正処理単位データに、編集単位データの先頭が含まれているか否かを判定し、その判定結果の、繋ぎ記録の開始可能点情報としての、誤り訂正処理単位データのヘッダへの登録を制御する第１の登録制御ステップと、ヘッダに繋ぎ記録の開始可能点情報が登録されたビデオデータの、磁気テープへの記録を制御する記録制御ステップとを含むことを特徴とする。
【００１４】
本発明の記録装置および方法、並びにプログラムにおいては、入力されたビデオデータが、少なくとも所定数のフレームとフレームに関連する補助データからなる編集単位データ毎に記憶媒体に記憶され、記憶媒体に記憶されたビデオデータに、誤り訂正処理を施すとともに、誤り訂正処理の誤り訂正処理単位データ毎に、誤り訂正処理単位データに、編集単位データの先頭が含まれているか否かを判定し、その判定結果が、繋ぎ記録の開始可能点情報として、誤り訂正処理単位データのヘッダに登録され、ヘッダに繋ぎ記録の開始可能点情報が登録されたビデオデータが、磁気テープに記録される。
【００１５】
【発明の実施の形態】
図１は、本発明を適用した記録装置１の構成例を表している。
【００１６】
記録装置１は、入力された、ビデオデータおよびオーディオデータを、所定の単位（以下、パックと称する）をＤＲＡＭ２４上に形成しながら、磁気テープ２に記録する。
【００１７】
図２は、Ｎ＝１５（１５ピクチャ毎にＩピクチャが配列され）、Ｍ＝３（３ピクチャ毎にＰピクチャが配置される）のＧＯＰ構造を有しているビデオデータのＤＲＡＭ２４上での記憶状態および磁気テープ２上での記録状態を表している。すなわち１パックは、Ｍ個（この例の場合、３個）のピクチャのデータと、そのピクチャに関連するＡＵＸデータ（ＡＵＸ−Ｖ）（図中、Ｕで示されている）、そのピクチャに対応するオーディオデータ（図中、Ａで示されている）、およびそのオーディオデータに関連するＡＵＸデータ（ＡＵＸ−Ａ）（図中、Ｘで示されている）から構成される。
【００１８】
各パックにおけるデータの配置は、ＡＵＸ−Ａ（図中、Ｘ）、オーディオデータ（図中、Ａ）、ＡＵＸ−Ｖ（図中、Ｕ）、および３個のピクチャの順となっており、３個のピクチャに対応するＡＵＸデータ（ＡＵＸ−Ａ，ＡＵＸ−Ｖ）およびオーディオデータが、パックの先頭に（ピクチャの前段に）まとめて配置されている。
【００１９】
記録装置１は、ＤＲＡＭ２４上に記憶したデータ（図２）に対して、例えば、１６トラック分のデータを１単位とするＥＣＣ（ｅｒｒｏｒ  ｃｏｒｒｅｃｔｉｎｇ  ｃｏｄｅ）処理を施し、１６トラック毎の先頭のトラックに、所定の情報が格納されたＥＣＣＴＢ（図中、Ｈ）（いわゆるヘッダ）を配置する。なお、ＥＣＣ処理の単位としての１６トラック毎のデータを、ＥＣＣバンクと称する。
【００２０】
ＥＣＣＴＢには、ＥＣＣバンクに繋ぎ記録の開始点となり得るパックの先頭が含まれる場合、その旨を表すデータが設定され、また繋ぎ記録の開始点となり得るパックの先頭が含まれていないとき、その旨を表すデータが設定される。すなわちＥＣＣＴＢには、繋ぎ記録の開始可能点が登録される。
【００２１】
記録装置１は、繋ぎ記録を行う際、ＥＣＣＴＢの内容を参照して、ユーザが要求する繋ぎ記録を開始したい点に最も近い繋ぎ記録の開始可能点を検出し、検出したその点から繋ぎ記録を開始する。
【００２２】
次に、記録装置１の構成について説明する。記録装置１は、大きく記録処理部１１および制御部１２により構成されている。
【００２３】
記録処理部１１の圧縮部２１は、入力されたＨＤ映像信号を、ＭＰ＠ＨＬあるいはＭＰ＠Ｈ−１４などのＭＰＥＧ方式で圧縮し、その結果得られたビデオデータをＤＲＡＭ２４に出力する。圧縮部２２は、ＨＤ映像信号に対応する音声信号を、例えば、ＭＰＥＧ１  ｌａｙｅｒ２あるいはＡＡＣに準拠した方式などの音声圧縮を行い、その結果得られたオーディオデータをＤＲＡＭ２４に出力する。
【００２４】
システムデータ生成部２３は、ＡＵＸデータや、サブコードデータなどで構成されるシステムデータを生成し、ＤＲＡＭ２４に出力する。
【００２５】
圧縮部２１から出力されたビデオデータ、圧縮部２２から出力されたオーディオデータ、およびシステムデータ生成部２３から出力されたシステムデータは、ＤＲＡＭ２４上で、パックを形成するようにして記憶される（図２）。なお、ＤＲＡＭ２４は、６個のＥＣＣバンク分のデータを記憶することができるものとし、それ越える入力があった場合、その入力データは、先に記憶されたデータに順次上書きされて記憶される。
【００２６】
ＥＣＣ処理部２５は、ＤＲＡＭ２４に記憶された、パックを構成するビデオデータ、オーディオデータ、およびシステムデータに対し、ＥＣＣバンク毎のＥＣＣ処理を施す。ＥＣＣ処理部２５はまた、入出力部２６により磁気テープ２から読み出されてＤＲＡＭ２４に記憶されているデータに対して誤り訂正する処理等を施す。
【００２７】
入出力部２６は、ＤＲＡＭ２４に記憶されたデータ（ＥＣＣ処理が施されたデータ）を、磁気テープ２に記録するのに適した方式に変調するとともに、回転ヘッド２７を介して、磁気テープ２に記録する。入出力部２６はまた、回転ヘッド２７を介して磁気テープ２から読み出されたデータを、ＤＲＡＭ２４に記憶させる。
【００２８】
制御部１２は、記録処理部１１の各部を制御する。
【００２９】
次に、繋ぎ記録の開始可能点登録処理を、図３のフローチャートを参照して説明する。なお、この例の場合、繋ぎ記録の開始可能点の登録は、入力データの記録時になされるものとする。
【００３０】
ステップＳ１において、制御部１２は、圧縮部２１乃至システムデータ生成部２３から出力されるビデオデータ、オーディオデータ、およびＡＵＸを、パックを形成するようにしてＤＲＡＭ２４に記憶する処理を開始する。
【００３１】
次に、ステップＳ２において、制御部１２は、ＤＲＡＭ２４に記憶されたパックに対して繋ぎ記録の開始可能点をＥＣＣＴＢ（図２中、Ｈ）に登録する処理を開始する。なお、ここでの処理の詳細については後述する。
【００３２】
ステップＳ３において、制御部１２は、ＥＣＣ処理部２５および入出力部２６を制御して、ステップＳ２の処理で、繋ぎ記録の開始可能点が登録された、ＤＲＡＭ２４上のパックに対しての、ＥＣＣバンク毎のＥＣＣ処理と、その結果得られたデータの、磁気テープ２への記録を開始させる。
【００３３】
次に、図３のステップＳ２で開始される繋ぎ記録の開始可能点登録処理の詳細を、図４のフローチャートを参照して説明する。
【００３４】
ステップＳ１１において、制御部１２は、図３のステップＳ１の処理でＤＲＡＭ２４に記憶された、ＥＣＣバンク分（１６トラック分）のデータを参照して、ＥＣＣバンクに、繋ぎ記録の開始点となり得るパックの先頭が含まれているか否かを判定する。
【００３５】
映像を繋ぐことができるのは、ＩピクチャまたはＰピクチャであり、パックの先頭には、ＡＵＸがまとめて配置されているので、ここでは、ＥＣＣバンクにＩピクチャまたはＰピクチャに対応するＡＵＸ−Ｖが含まれているか否かが判定される。
【００３６】
ステップＳ１１で、ＥＣＣバンクに、繋ぎ記録の開始点となり得るパックの先頭が含まれている場合、すなわちＩピクチャまたはＰピクチャに対応するＡＵＸ−Ｖが含まれている場合、ステップＳ１２に進む。
【００３７】
ステップＳ１２において、制御部１２は、ステップＳ１１で参照したＥＣＣバンクに、繋ぎ記録の開始点となり得るパックの先頭が含まれていることを、ＥＣＣバックのＥＣＣＴＢに登録する。具体的には、ＡＵＸ−Ｖが対応するピクチャ（ＩピクチャまたはＰピクチャ）を表すＤＡＴＡ−Ｈ、およびパックの先頭位置（ＡＵＸ−Ａが配置されているトラック番号）、並びにＡＵＸ−Ｖに含まれているＤＴＳ（Ｄｅｃｏｄｉｎｇ  Ｔｉｍｅ  Ｓｔａｍｐ）、ｖｂｖ＿ｄｅｌａｙ、およびｃｏｎｔｉｎｕｉｔｙ  ｃｏｕｎｔｅｒが、図５に示すように、ＥＣＣＴＢのｅｄｉｔａｂｌｅ  ｈｅａｄｅｒ  ｍａｐに設定される。
【００３８】
このように所定のデータがＥＣＣＴＢのｅｄｉｔａｂｌｅ  ｈｅａｄｅｒ  ｍａｐに設定されることで、繋ぎ記録の開始可能点が登録される。
【００３９】
なお、ＥＣＣＴＢのｅｄｉｔａｂｌｅ  ｈｅａｄｅｒ  ｍａｐには、２個の繋ぎ記録の開始可能点を登録することができるので、１個のＥＣＣバンクに、２個以上の繋ぎ記録の開始点となり得るパックの先頭が含まれている場合、すなわち２個以上の、ＩピクチャまたはＰピクチャに対応するＡＵＸ−Ｖが含まれている場合、その中のいずれか２個のパックの先頭位置等を、ＥＣＣＴＢの各ｅｄｉｔａｂｌｅ  ｈｅａｄｅｒ  ｍａｐに設定して、２個の繋ぎ記録可能開始点を登録することができる。
【００４０】
図４に戻り、ステップＳ１１で、ＥＣＣバンクにＩピクチャまたはＰピクチャに対応するＡＵＸ−Ａが含まれていないと判定された場合、ステップＳ１３に進み、制御部１２は、ステップＳ１１で参照したＥＣＣバンクには、繋ぎ記録の開始点となり得るパックの先頭が含まれていないことを、ＥＣＣバックのＥＣＣＴＢに登録する。具体的には、ＥＣＣバンクに、繋ぎ記録の開始点となり得るパックが含まれていない旨（以下、Ｎｏ  Ｅｄｉｔａｂｌｅと称する）を表すＤＡＴＡ−Ｈが、ＥＣＣＴＢのｅｄｉｔａｂｌｅ  ｈｅａｄｅｒ  ｍａｐに設定される。
【００４１】
ステップＳ１２で、ＥＣＣバンクに繋ぎ記録を開始点となり得るパックが含まれていることが（繋ぎ記録の開始可能点が）登録され、またはステップＳ１３で、ＥＣＣバンクに繋ぎ記録を開始点となり得るパックが含まれていないことが登録されると、ステップＳ１４に進み、制御部１２は、参照していないＥＣＣバンクがＤＲＡＭ２４上に存在するか否かを判定し、存在すると判定した場合、ステップＳ１１に戻り、それ以降の処理を実行する。ステップＳ１４で、参照されていないＥＣＣバンクがＤＲＡＭ２４上に存在しないと判定された場合、処理は終了する。
【００４２】
次に、繋ぎ記録を行う場合の記録装置１の動作を、図６のフローチャートを参照して説明する。
【００４３】
ステップＳ３１において、制御部１２は、ユーザが要求する繋ぎ記録の開始位置を取得する。この例の場合、ユーザは、早送り再生により表示される画像を参照し、繋ぎ記録を開始したい画像を見つけとき、早送り再生を停止するので、制御部１２は、そのとき回転ヘッド２７が接触している磁気テープ２の位置（磁気テープ２の先頭からの距離ＡＴＮ（Ａｂｓｏｌｕｔｅ  Ｔｒａｃｋ  ｎｕｍｂｅｒ））を、ユーザが要求する繋ぎ記録を開始位置として取得する。
【００４４】
次に、ステップＳ３２において、制御部１２は、早送り再生の停止がなされたときの磁気テープ２の位置から、所定数のトラック（例えば、２２０トラック分）分だけ戻るように、図示せぬメカデッキ部を制御して磁気テープ２を巻き戻し、入出力部２６を制御して、その位置から磁気テープ２に記憶されているデータのＥＣＣバック毎の読み出しと、そのＤＲＡＭ２４への記憶を開始させる。
【００４５】
またこのとき制御部１２は、ＥＣＣ処理部２５を制御して、ＤＲＡＭ２４に記憶されたデータに対する誤り訂正処理を開始させる。
【００４６】
ステップＳ３３において、制御部１２は、ステップＳ３２の処理で誤り訂正がなされて解読が可能となったＤＲＡＭ２４上の１つのＥＣＣバンクから、ＥＣＣＴＢ（図２中、Ｈ）を読み出し、ステップＳ３４において、その中に設定されているＤＡＴＡ−Ｈが、ＥＣＣバンクに繋ぎ記録の開始点となり得るパックの先頭が含まれていることを表している（繋ぎ記録の開始可能点が含まれている）か否かを判定し、繋ぎ記録の開始可能点が含まれていないと判定した場合、ステップＳ３３に戻り、次のＥＣＣＴＢを読み出す。
【００４７】
ステップＳ３４で、繋ぎ記録の開始可能点が含まれていると判定された場合、ステップＳ３５に進み、制御部１２は、ステップＳ３１で取得した絶対位置ＡＴＮから、他の単位でテープ位置を表すＥＴＮを検出するとともに、それから下記の式に従ってＤＴＳを算出する。なお式中、クロック数は、ＮＴＳＣの場合は３００３であり、ＰＡＬの場合は３６００である。
ＤＴＳ＝（ＥＴＮ−１０）×（クロック数／１０）
【００４８】
制御部１２はまた、ここで算出したＤＴＳと、ステップＳ３３で読み出したＥＣＣＴＢに設定されているＤＴＳを比較し、ステップＳ３６において、両者の差が所定の大きさより小さいか否かを判定し、小さいと判定した場合、ステップＳ３７に進む。
【００４９】
ステップＳ３７において、制御部１２は、ステップＳ３２で開始させた読み出し処理、ＤＲＡＭ２４への記憶処理、およびＥＣＣ処理を停止させ、記録装置１を記録待機状態にする。
【００５０】
次に、ステップＳ３８において、制御部１２は、現在の磁気テープ２の位置（早送り再生が停止したときの磁気テープ２の位置）と、ステップＳ３３で読み出されたＥＣＣＴＢのｅｄｉｔａｂｌｅ  ｈｅａｄｅｒ  ｍａｐに設定されている、繋ぎ記録の開始可能点として設定されたパックの先頭位置から、そのパックの先頭位置に磁気テープ２の位置を合わせるための磁気テープ２の戻り量を算出し、ステップＳ３９において、算出した量だけ磁気テープ２を巻き戻す。
【００５１】
次に、ステップＳ４０において、制御部１２は、ＥＣＣＴＢ内の情報より、記録待機状態が解除されて開始される記録に必要な初期パラメータ、および新しいストリームに継承しなければならないパラメータを算出する。
【００５２】
ステップＳ４１において、制御部１２は、繋ぎ記録を開始させる位置をシンクブロック単位で算出し、ステップＳ４２において、新規に記録するサブコードの連続性を確保するために、ステップＳ３３で読み取ったＥＣＣＴＢとともに、それが属するＥＣＣバンクの１つ前のＥＣＣバンク（ＤＲＡＭ２４に記憶されている）のＥＣＣＴＢのシステムデータを利用して、ステップＳ３３で読み取ったＥＣＣＴＢが属するＥＣＣバンクの先頭の時刻からテープＤＴＳ時刻までのサブコードを生成する。
【００５３】
次に、ステップＳ４３において、制御部１２は、記録開始の指令が入力されるまで待機し、その指令が入力されたとき、ステップＳ４４に進む。
【００５４】
ステップＳ４４において、記録処理部１１を制御して、ステップＳ４０乃至ステップＳ４２、または後述するステップＳ４６（図８のステップＳ７５乃至ステップＳ７７）の処理で生成したデータに基づいて、入力された信号を記録する処理を開始させる。すなわちこれにより、ステップＳ３４で検出された繋ぎ記録の開始可能点からの繋ぎ記録が行われる。なお、ここでの記録処理の詳細は、図７のフローチャートに示されているが、図３のフローチャートに示した繋ぎ記録の開始可能点登録処理と、実質、同様の処理が行われるのでその説明は省略する。
【００５５】
次に、ステップＳ４５において、制御部１２は、記録を一時停止する指令が入力されたか否かを判定し、その指令が入力されたと判定した場合、ステップＳ４６に進む。ここでの処理の詳細は、図８のフローチャートに示されている。
【００５６】
すなわちステップＳ７１において、制御部１２は、ステップＳ４４で開始された記録処理を停止し、記録待機状態に設定する。すなわちこれにより、入力データのＤＲＡＭ２４への記憶（図７のステップＳ６１）等が停止する。
【００５７】
次に、ステップＳ７２において、制御部１２は、記録が停止しなければ次に記録された、ＤＲＡＭ２４に記憶されているＥＣＣバンクのＥＣＣＴＢに設定されたＤＡＴＡ−Ｈを、ＥＣＣバンクに記録終了点が含まれていることを表すものに変更して、記録終了点の位置等をＥＣＣＴＢに設定する。
【００５８】
なお、上述した図６のステップＳ３４の処理の説明では、繋ぎ記録可能点が登録されている場合、ステップＳ３５に進むとしたが、記録終了点が登録されている場合も、ステップＳ３５に進むことができる。
【００５９】
ステップＳ７３において、制御部１２は、現在の磁気テープ２の位置と、ステップＳ７２でＥＣＣＴＢに設定された記録終了点の位置から、記録終了点に対応する位置に磁気テープ２の位置を合わせるための磁気テープ２の戻り量を算出し、ステップＳ７４において、算出した量だけ磁気テープ２を巻き戻す。
【００６０】
次に、ステップＳ７５において、制御部１２は、ＥＣＣＴＢ内の情報より、記録待機状態が解除されて開始される記録に必要な初期パラメータ、および新しいストリームに継承しなければならないパラメータを算出する。
【００６１】
ステップＳ７６において、制御部１２は、繋ぎ記録を開始させる位置をシンクブロック単位で算出し、ステップＳ７７において、新規に記録するサブコードの連続性を確保するために、ステップＳ７２で記録終了点である旨を表すものに変更されたＤＡＴＡ−Ｈが含まれるＥＣＣＴＢとともに、それが属するＥＣＣバンクの１つ前のＥＣＣバンク（ＤＲＡＭ２４に記憶されている）のＥＣＣＴＢのシステムデータを利用して、ステップＳ７２でＤＡＴＡ−Ｈが変更されたＥＣＣＴＢが属するＥＣＣバンクの先頭の時刻からテープＤＴＳ時刻までのサブコードを生成する。
【００６２】
次に、ステップＳ７８において、制御部１２は、ＤＲＡＭ２４上の、記録終了点を含むＥＣＣバンクを含めて３個のＥＣＣバンクにＮＵＬＬデータを記憶する。その後、図６のステップＳ４３に戻り、制御部１２は、記録開始の指令が入力されるまで待機する。
【００６３】
すなわちこのように、記録が一時停止された場合、そのときＤＲＡＭ２４に記憶されているデータ（ＥＣＣＴＢ）を消去せずに保持し、記録が再開されるまでに、磁気テープ２の巻き戻し（ステップＳ７４）、または必要なデータの算出（ステップＳ７５乃至ステップＳ７７）を行うようにしたので、記録待機状態の解除後の繋ぎ記録を迅速に開始することができる。
【００６４】
ステップＳ４５で、記録を一時停止する指令が入力されていないと判定された場合、制御部２１は、ステップＳ４７に進み、記録を終了する指令が入力されたか否かを判定する。ステップＳ４７で、記録を終了する指令が入力されていないと判定された場合、ステップＳ４５に戻り、それ以降の処理が行われる。一方、ステップＳ４７で、記録を終了する指令が入力されたとき、繋ぎ記録処理は終了する。
【００６５】
なお、以上においては、簡単のために、ステップＳ３５で、ＤＡＴＡ−Ｈが、ＥＣＣバンクに繋ぎ記録の開始点となり得るパックの先頭が含まれていることを表している場合、ステップＳ３５に進み、それ以降の処理、その検討を行うようにしたが、実際には、ＥＣＣＴＢ（図５）のＥｄｉｔ  Ｓｔａｔｕｓの値０または１であるときは、ＤＡＴＡ−Ｈが、繋ぎ記録の開始点となり得るパックの先頭が含まれていることを表すものであっても、繋ぎ記録の開始点となり得ないとして、ステップＳ３３に戻るようになされている。
【００６６】
Ｅｄｉｔ  Ｓｔａｔｕｓは、０乃至７ｆまでカウントアップされる変数であり、Ｅｄｉｔ  ＰａｃｋＰａｉｒ（Ｅｄｉｔ  ＡＵＸ−Ｖ）から始まるとき、０に、ＴＯＰ  ＡＵＸ−Ｖから始まるとき、１にそれぞれ初期化される。
【００６７】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、記録媒体からインストールされる。
【００６８】
この記録媒体は、図９に示すように、パーソナルコンピュータ１０１とは別に、ユーザにプログラムを提供するために配布される、プログラムが記録されている磁気ディスク１３１（フロッピディスクを含む）、光ディスク１３２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク１３３（ＭＤ（Ｍｉｎｉ−Ｄｉｓｋ）を含む）、もしくは半導体メモリ１３４などよりなるパッケージメディアにより構成されるだけでなく、装置本体に予め組み込まれた状態でユーザに提供される、プログラムが記録されているＲＯＭや、ハードディスクなどで構成される。
【００６９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００７０】
【発明の効果】
本発明によれば、繋ぎ記録を、適切に行うことができる。
【図面の簡単な説明】
【図１】本発明を適用した記録装置の構成例を示すブロック図である。
【図２】ビデオデータ等の記録状態を示す図である。
【図３】繋ぎ記録の開始可能点登録処理を説明するフローチャートである。
【図４】図３のステップＳ２で開始される処理の詳細を説明するフローチャートである。
【図５】ＥＣＣＴＢの内容を示す図である。
【図６】繋ぎ記録処理を説明するフローチャートである。
【図７】図６のステップＳ４４で開始される処理の詳細を説明するフローチャートである。
【図８】図６のステップＳ４６の処理の詳細を説明するフローチャートである。
【図９】パーソナルコンピュータの構成例を示すブロック図である。
【符号の説明】
１  記録装置，  ２  磁気テープ，  １１  記録処理部，  １２  制御部，  ２１  圧縮部，  ２２  圧縮部，  ２３  システムデータ生成部，  ２４  ＤＲＡＭ，  ２５  ＥＣＣ処理部，  ２６  入出力部，  ２７  回転ヘッド
【図１】
2004164731.tif 000003
【図２】
2004164731.tif 000004
【図３】
2004164731.tif 000005
【図４】
2004164731.tif 000006
【図５】
2004164731.tif 000007
【図６】
2004164731.tif 000008
【図７】
2004164731.tif 000009
【図８】
2004164731.tif 000010
【図９】
2004164731.tif 000011